【事件の表示】
　平成　５年特許願第２０９５９６号「記録再生装置」拒絶査定に対する審判事件［平成　７年　３月１０日出願公開、特開平　７−　６５５３８］について、次のとおり審決する。
【結　論】
　本件審判の請求は、成り立たない。
【理　由】
［１］手続の経緯
　本願は、平成５年８月２４日の出願であって、その請求項１に係る発明（以下、「本願発明」という。）は、平成１４年４月１５日付けの手続補正書、及び当審の平成１５年５月２６日付けの拒絶理由に対してなされた平成１５年７月２５日付けの手続補正書によって補正された明細書及び図面の記載からみて、特許請求の範囲の請求項１に記載された次のとおりと認める。
　
「【請求項１】　記録再生アンプと、前記記録再生アンプを実装するとともに第１のスルーホールを備えた記録再生アンプ用基板と、一端を記録再生ヘッドに接続し他端を前記記録再生アンプ用基板に接続した可撓性配線基板と、第２のスルーホールを有した制御回路基板と、前記制御回路基板に設けられた表面実装型コネクタと、前記記録再生アンプ用基板と前記制御回路基板との間に設けられ貫通した穿設部を有するベースと、前記穿設部中に挿入されて固定されしかも複数のピンを設けたピン・ヘッダとを備え、前記記録再生アンプは前記記録再生アンプ用基板において前記ベース側とは反対側に設けられ、前記表面実装型コネクタは前記制御回路基板において前記ベース側とは反対側に設けられ、前記ピン・ヘッダの記録再生アンプ用基板側のピンは前記第１のスルーホールに挿入されて前記記録再生アンプ用基板に接続され、前記ピン・ヘッダの制御回路基板側のピンは第２のスルーホールに挿入されて前記表面実装型コネクタに接続され、前記記録再生ヘッドによって読み出された原信号は可撓性配線基板を介して記録再生アンプに伝達されると共に、前記記録再生アンプで増幅された信号はピン・ヘッダを介して制御回路基板に設けられた信号処理系に送られることを特徴とする記録再生装置。」
　
［２］引用例
（１）刊行物１
　当審の拒絶理由に引用された特開平５−７４１２４号公報（以下、「刊行物１」という。）には、図面とともに、
「【００１３】
　【実施例】
図１乃至図６はこの発明の一実施例を示すものである。まず、図１を参照して説明する。磁気デイスク記憶装置１はハウジング２と電子回路カード３とを有する。ハウジング２は基板４とカバー５とからなる。ハウジング２内には基板４に回転可能に支持された磁気デイスク６と、この磁気デイスク６の記録面にデータを書き込みまたは読み出しをおこなう図示しない信号変換ヘツドを取付けて磁気デイスク６の記録面に対面するスライダ７と、スライダ７を一端に取付けて磁気デイスク６の所望のトラックの一つに位置づけるため基板４に回動可能に支持されたアクチユエータ８とが収納される。基板４とカバー５は密封可能であり、外界とは隔離して塵埃が制御される環境をハウジング２内に作る。外界とハウジング２内とは図示しないブリーザ・フイルタを通じてつながっていて、ハウジング２内外に気圧差が生じないようにしている。
　【００１４】
磁気デイスク６の記録面への書き込み信号または磁気デイスク６の記録面からの読み取り信号やアクチユエータ８への電力は、図２及び図３に示すようなハウジング２内外を電気的に連絡するために基板４に絶縁体９ａを介して植設されて基板４を貫通して両面から突出する２列のピン端子列９ｂを経由して、ハウジング２の裏に取付けられた電子回路カード３から送られまたは電子回路カード３へ送られる。この基板４に植設された２列のピン端子列９ｂは第一コネクタ９を構成する。ハウジング２内に突出したこのピン端子列９ｂに、信号変換ヘツドの信号を処理するためハウジング２内に設けられるフレキシブル印刷回路１１が電気的に接続される。そして、ハウジング２外に突出したこのピン端子列９ｂは電子回路カード３に取付けられたコネクタ１０が電気的に接続する。
　【００１５】
図４に示すように、この発明のフレキシブル印刷回路１１の一表面１１ａ上には信号変換ヘツドからの読み出し信号または書き込み信号を増幅する増幅回路を構成するための電子部品１２が搭載される。この電子部品１２はフレキシブル印刷回路１１の図示しない回路パターンに接続されている。フレキシブル印刷回路１１の一端側１１ｂは側方に延長されてフレキシブル・ケーブル１１ｃを一体的に構成している。このフレキシブル・ケーブル１１ｃのフレキシブル印刷回路１１から離れた端はアクチユエータ８に固定されるもので、そのための取付け用の板１１ｄ及びネジ孔１１ｅが設けられている。このフレキシブル・ケーブル１１ｃには図示しない回路パターンが形成されていてアクチユエータ８に設けられた図示しない配線を介して信号変換ヘツドにフレキシブル印刷回路１１上の電子部品１２を電気的に接続している。また、フレキシブル・ケーブル１１ｃにはアクチユエータ８への図示しない電力供給用の配線も設けられている。
　【００１６】
フレキシブル印刷回路１１の一端側１１ｂの他表面には断面略Ｔ字形のプラスチツク板１３の頭部１３ａが固着されている。プラスチツク板１３の脚部１３ｂはフレキシブル印刷回路１１に対して略垂直をなして取付けられる。脚部１３ｂには略長方形の貫通孔１３ｃが設けられている。この貫通孔１３ｃの大きさは、ハウジング２の基板４からハウジング２内に突出した第一コネクタ９の２列のピン列９ｂの外周に嵌合できる大きさを持ち、脚部１３ｂの板厚は第一コネクタ９のピンの長さよりも小さい。このプラスチツク板１３は第一コネクタ９への係止手段を構成する。なお、貫通孔１３ｃを設けるほか多くの係止手段の構成が考えられる。たとえば、突起により第一コネクタ９に設けられた孔に嵌合させることなどが考えられる。
　【００１７】
フレキシブル印刷回路１１の他端側１１ｆの一表面１１ａにはこの表面から垂直に突出した略直方体のコネクタ・ハウジング１４ａを持った第二コネクタ１４が設けられている。コネクタ・ハウジング１４ａ内に第一コネクタ９のピン端子列９ｂが嵌入して第二コネクタ４と電気的に接続し且つ機械的にも両者を連結する。図４に示されるフレキシブル印刷回路１１上の点線１１ｇは、この点線１１ｇに沿ってフレキシブル印刷回路１１が折り曲げられ得ることを示す。
　【００１８】
図５及び図６は、この実施例のフレキシブル印刷回路１１が基板４から突出した第一コネクタ９に位置決めされて、基板４上で組立てられる仕方を示す。まず、フレキシブル印刷回路１１の一端１１ｂに取付けられたプラスチツク板１３の脚部１３ｂの貫通孔１３ｃが第一コネクタ９のピン列９ｂの外周に嵌合されてフレキシブル印刷回路１１が水平方向に位置決めされる。次に、フレキシブル印刷回路１１が点線１ｇに沿って二つ折りに折り曲げられて、フレキシブル印刷回路１１の他端１ｆに取付けられたコネクタ・ハウジング１４ａを持った第二コネクタ１４に、貫通孔１３ｃから突出している第一コネクタ９のピン端子列９ｂが嵌入されて、フレキシブル印刷回路１１が第一コネクタ９に固定される。また、同時にフレキシブル印刷回路１１が第一コネクタ９に電気的に接続される。第一コネクタのピン端子列９ｂと第二コネクタ１４との間の弾性力による保持力はフレキシブル印刷回路１１を固定するのに十分に大きい。
　【００１９】
　【発明の効果】
この発明は次のような効果を有する。フレキシブル印刷回路は組立て時には二層になっており、電子部品が立体的に配されることで投影面積は減少し装置全体の小型化に役立つ。なお、電子部品は全てフレキシブル印刷回路の一表面に搭載されるのでフレキシブル印刷回路自体の製造のしやすさは従来通りである。
　【００２０】
フレキシブル印刷回路は一端を基板から突出した第一コネクタに係止しその上から重ねるようにしてフレキシブル印刷回路の他端を第一コネクタに嵌合することで位置決め及び固定される。このため、従来の固定用のネジは必要でなく、基板にネジ孔を設ける必要もない。また、組立ての作業性、生産性に優れている。
　【００２１】
フレキシブル印刷回路は基板から突出した第一コネクタを介してハウジングの外と電気的に接続されるので、ハウジングの気密性を保つ事ができる。」と記載され、
　絶縁体９ａが基板４の長方形の孔を貫通した状態で、図２，３に記載され、図１には、電子回路カード３のコネクタ１０が、電子回路カード３の基板４側に配置されていることが記載されている。
　また、図４，５には、信号変換ヘツドからの読み出し信号または書き込み信号を増幅する増幅回路を構成するための電子部品１２が、二つ折りに折り曲げられたフレキシブル印刷回路１１の一表面側に配置されて記載されているため、信号変換ヘツドからの読み出し信号または書き込み信号を増幅する増幅回路を構成するための電子部品１２は、基板４の側にあるとも、基板４とは反対側にあるともいえない構成に記載されている。
　
　以上の記載から、刊行物１には、
「信号変換ヘツドからの読み出し信号または書き込み信号を増幅する増幅回路を構成するための電子部品と、
　前記電子部品を折り畳んだ内側面に搭載するとともに、一端側に固着されたプラスチック板と、他端側にコネクタ・ハウジングを持った第二コネクタとを設けたフレキシブル印刷回路と、
　アクチユエータに設けられた配線を介して信号変換ヘッドに接続する、前記フレキシブル印刷回路の一端側の側方から延長して一体的に構成されたフレキシブル・ケーブルと、
　電子回路カードと、
　前記電子回路カードに設けられたコネクタと、
　前記フレキシブル印刷回路と前記電子回路カードとの間に設けられた基板と、
　前記基板の長方形の孔の絶縁体に植設されて基板を貫通して両面から突出するピン端子列を備え、
　前記電子部品は前記フレキシブル印刷回路の一表面に搭載され、
　前記コネクタは電子回路カードの基板側に設けられ、
　前記ピン端子列のフレキシブル印刷回路側のピンは、前記フレキシブル印刷回路の前記プラスチック板の貫通孔に嵌合し、さらに二つに折りに折り曲げられた前記フレキシブル印刷回路の前記第二のコネクタに嵌入して前記フレキシブル印刷回路を固定し、
　前記ピン端子列の前記電子回路カード側のピンは前記コネクタに接続され、
　磁気デイスク記録面への書き込み信号または磁気デイスクの記録面からの読み取り信号やアクチユエータへの電力は、前記基板の前記ピン端子列を経由して、前記電子回路カードから送られまたは前記電子回路カードへ送られるディスク記憶装置。」との発明（以下、「刊行物１の発明」という。）が記載されていることが認められる。
　
（２）刊行物２
　当審の拒絶理由に引用された特開平５−１３５８３４号公報（以下、「刊行物２」という。）には、図面とともに、
「【０００９】
　図１において、接続される２枚の基板１１、１２の一方例えば基板１１には面実装用リード端子を付加した面実装用ソケット端子１３が実装され、他方の基板１２には前記面実装用ソケット端子１３に係合接続するピン端子１４が実装されている。
　【００１０】
　図２において、前記面実装用ソケット端子１３は絶縁物からなる細長い長方形のベース１３ａに、複数個のソケット金具１３ｂを前記ベース長手方向に等配、埋設して構成されている。
　【００１１】
　なお、ピン端子１４は絶縁体からなる細長い矩形状のベース１４ａと、これに長手方向に等配して埋設したピン１４ｂとを備えている。
　【００１２】
　ソケット金具１３ｂはそれぞれピン受部１３ｃと、同一面上にある表面実装用の２個の半田付用リード１３ｄとを具えている。前記半田付用リード１３ｄと図２（ｂ）に示されたソケット金具の接触部１３ｅとは、当然電気的に導通されている。」と記載されている。
　
（３）刊行物３
　当審の拒絶理由に引用された実願平３−９８３５４号（実開平５−４８２７２号）のＣＤ−ＲＯＭ（以下、「刊行物３」という。）には、図面とともに、
「【０００７】
　　【実施例】
　以下、本考案の一実施例を図１乃至図３に従って詳述する。図１は本考案の５．２５インチのフロッピーディスクドライブに備えられているカードエッジコネクター４の平面図である。同図に於て、該カードエッジコネクター４のメインパターン部５とカードエッジ部６とは分離されて別体にて構成される。
　【０００８】
　而して、前記カードエッジ部６はコンピューター本体のコネクター（図示せず）に合着せられる部分であり、充分なる強度が保障されねばならないので、従来と同様に所定の板厚を有するガラスエポキシ樹脂にて構成し、更に又、前記メインパターン部５は例えば安価な片面紙フェノール等にて構成する。
　而して、上記カードエッジ部６とメインパターン部５とを連結するためにピンヘッダー７が用いられる。該ピンヘッダー７は樹脂製枠７ａにピン８，８…を上下に貫通して固着されており、そして、該ピン８，８…の下方部の突出部を前記メインパターン部５の端部の配線パターン５ａ上に開穿されたスルーホール９，９…に挿着してハンダ１０，１０…にて固定し、更に、該ピン８，８…の上方の突出部は前記カードエッジ部６の各端子６ａ，６ａ…の端部に開穿された各スルーホール１１，１１…に挿入され、ハンダ１０，１０…にて固定される。」と記載されている。
　
（４）刊行物４
　当審の拒絶理由に引用された特開平４−２７６３７５号公報（以下、「刊行物４」という。）には、図面とともに、
「【００２３】
　図２は、本発明の超小型磁気ディスク装置の外観図２である。この装置は、機構部１とこれを制御する電子回路部２からなる。前機構部は、図１と同じ構成である。ここで、電子回路基板９は、フィルム状になっており、この上に電子部品を実装したものである。この様にすることで、磁気ディスク装置のケース内のあいている空間に部品を納めることができ、磁気ディスク装置の小型化が実現できる。または、電子回路の放熱等を考慮して、磁気ディスク装置のケースの外側に取り付けるか、または、磁気ディスク装置を組み込む外部システムのあいている空間に取り付けても良い。本実施例によれば、超小型な磁気ディスク装置が実現ができ、機器に組み込むことに向いた磁気ディスク装置が実現できる。
　【００２４】
　図３は、本発明の超小型磁気ディスク装置の構成図である。この装置は、機構部１とこれを制御する電子回路部２からなる。電子回路部２はその回路構成をブロック図として示してある。前記機構部１は、データを保存するための磁気ディスク３、前記磁気ディスクにデータを保存したり読み出したりするための磁気ヘッド４、前記磁気ディスクを回転するためのスピンドルモータ５、前記磁気ヘッドを支えるためのガイドアーム６、前記磁気ヘッドを移動するためのＶＣＭ７、磁気ディスク３〜ＶＣＭ７を封入するためのケース８、磁気ディスク３〜ＶＣＭ７を支えるための電子回路基板９からなる。前記機構部を制御するための電子回路部２は、前記磁気ディスク３へのデータの書き込み，データの読み出しを行うためのリード／ライト機能部１０、前記磁気ヘッドの目標トラックへの位置決め制御を行うための磁気ヘッド４の位置決め制御と，前記磁気ディスク３の回転数の制御をするためのメカ制御部１１と、前記リード／ライト機能部１０と外部システムとの間でデータの制御を行うためのデータ制御部１２からなる。さらに、各部位は以下のものよりできている。リード／ライト機能部１０は、磁気ディスク３にデータを記録したり再生したりするためのＲ／Ｗアンプ１３、磁気ディスクから読み出された信号の波形を整える波形整形回路１４、前記波形整形回路で形が整えられた読み出し波形から基準クロックの抽出をおこなうデータセパレータ１５、前記波形整形回路で形が整えられた読み出し波形と前記基準クロックから磁気ディスクに記録された符号をＮＲＺ符号に変換することと、データ制御部１２から送られてくるＮＲＺ信号を磁気ディスクに記録するのに向く符号に変換を行う弁別回路１６からなる。メカ制御部１１は、磁気ヘッド４から読み出された磁気ヘッド４の位置決め信号から位置情報を生成するための位置信号生成回路１７、この位置情報から磁気ヘッド４の位置決め制御処理をおこなうヘッド位置決め制御回路１８、この位置決め制御処理出力をＶＣＭ７に送るためのモータドライバ１９、さらに、スピンドルモータの回転数制御を行うためのスピンドルモータ制御／ドライバ２０、そして、前記位置信号生成回路１７の出力からリード／ライト機能部１０にライトクロックを送るためのライトクロック生成回路２１よりなる。データ制御部１２は、外部ホストとのデータの転送で標準的なＳＣＳＩ（スモール　コンピュータ　システム　インタフェース，Ｓｍａｌｌ　Ｃｏｍｐｕｔｅｒ　Ｓｙｓｔｅｍ　Ｉｎｔｅｒｆａｃｅ）プロトコルの制御を行うＳＣＳＩコントローラ２２、外部システムからのパラレルデータと磁気ディスク３にデータを記録再生するのに向いたデータ（一般的にはシリアルデータ）に変換するＨＤＣ（ハード　ディスク　コントローラ，Ｈａｒｄ　Ｄｉｓｋ　Ｃｏｎｔｒｏｌｅｒ）２３、外部ホストとＨＤＣ２３間のデータ転送速度と，ＨＤＣ２３と磁気ディスク３間のデータ転送速度の差を調整するためのバッファＲＡＭ２４、さらに磁気ディスク装置全体の各部位の制御を行うＣＰＵ２５からなる。上記磁気ディスク装置において、磁気ディスク３の外形寸法を約１．７インチにし、磁気ヘッド４の磁気ディスクのデータの読み書きの位置に応じてデータセパレータにより生成されるリードクロックの周波数と，ライトクロック生成回路２１にライトクロックの周波数の変更を行う手段を設けることで、磁気ディスク３により多くのデータを記録することができる。さらに、磁気ディスク３の回転数を変更する手段をスピンドルモータ制御／ドライバ２０に設けることで、磁気ディスク装置の低消費電力化を実現することができる。また、この回転数の変更手段を利用して、磁気ディスク３にデータを記録再生するクロック周波数の変更手段を設けることなしに磁気ディスク３により多くのデータを記録することを実現しても良い。また、磁気ディスク３により多くのデータを記録するために、トラック密度を２５００ＴＰＩ（Ｔｒａｃｋ　Ｐｅｒ　Ｉｎｃｈ）以上にする。これは、磁気ヘッドの位置決め信号を読み出す磁気ヘッドとデータを読み書きする磁気ヘッド４が同一のデータ面サーボ方式を採用した磁気ヘッド位置決め制御回路１８を持つことで実現することにする。もちろん、上記トラック密度を実現するためにサーボ面サーボ方式、シーク時にサーボ面サーボ方式でフォロイング時にデタ面サーボ方式、または、サーボ面サーボ方式とデータ面サーボ方式の併用を使用しても良い。本実施例によれば、超小型で大容量、そして低消費電力の磁気ディスク装置が実現ができ、機器に組み込むことに向いた超小型磁気ディスク装置が実現できる。この図では、磁気ヘッドを移動する方式に、回転移動方式であるＶＣＭを使用した例で説明したが、もちろん直線移動方式であるリニアモータを使用してもかまわない。」と記載されている。
　
［３］対比
　そこで、本願発明と刊行物１の発明とを比較すると、刊行物１の発明のディスク記憶装置は、本願発明の記録再生装置に相当し、
　刊行物１の発明の「信号変換ヘッドからの読み出し信号または書き込み信号を増幅する増幅回路を構成するための電子部品」「電子回路カード」「基板」「ピン端子列」は、
　本願発明の「記録再生アンプ」「制御回路基板」「ベース」「ピン・ヘッダ」に相当し、
　刊行物１の発明の「フレキシブル印刷回路」は、「信号変換ヘッドからの読み出し信号または書き込み信号を増幅する増幅回路を構成するための電子部品」（記録再生アンプ）を搭載しており、本願発明の「記録再生アンプ」を実装した「記録再生アンプ用基板」に相当する。
　刊行物１の発明の「アクチユエータに設けられた配線を介して信号変換ヘッドに接続する、前記フレキシブル印刷回路の一端側の側方から延長して一体的に構成されたフレキシブル・ケーブル」は、本願発明の「一端を記録再生ヘッドに接続し他端を前記記録再生アンプ用基板に接続した可撓性配線基板」に相当し、
　刊行物１の発明の「電子回路カード」の「コネクタ」は表面に実装されているから、本願発明の「制御回路基板」の「表面実装型コネクタ」に相当する。
　刊行物１の発明の「磁気デイスク記録面への書き込み信号または磁気デイスクの記録面からの読み取り信号やアクチユエータへの電力は、前記基板の前記ピン端子列を経由して、前記電子回路カードから送られまたは前記電子回路カードへ送られる」は、本願発明の「前記記録再生ヘッドによって読み出された原信号は可撓性配線基板を介して記録再生アンプに伝達されると共に、前記記録再生アンプで増幅された信号はピン・ヘッダを介して制御回路基板送られる」に相当する。
　そして、刊行物１の発明の「ピン端子列」はコネクタの孔に嵌入され、本願発明の「ピン・ヘッダ」はスルーホールに挿入されるから、
　両者は、
「記録再生アンプと、前記記録再生アンプを実装する記録再生アンプ用基板と、一端を記録再生ヘッドに接続し他端を前記記録再生アンプ用基板に接続した可撓性配線基板と、制御回路基板と、前記制御回路基板に設けられた表面実装型コネクタと、前記記録再生アンプ用基板と前記制御回路基板との間に設けられ貫通した穿設部を有するベースと、前記穿設部中に挿入されて固定されしかも複数のピンを設けたピン・ヘッダとを備え、前記表面実装型コネクタは前記制御回路基板に設けられ、前記ピン・ヘッダの記録再生アンプ用基板側のピンは孔に挿入されて前記記録再生アンプ用基板に接続され、前記ピン・ヘッダの制御回路基板側のピンは孔に挿入されて前記表面実装型コネクタに接続され、前記記録再生ヘッドによって読み出された原信号は可撓性配線基板を介して記録再生アンプに伝達されると共に、前記記録再生アンプで増幅された信号はピン・ヘッダを介して制御回路基板に送られることを特徴とする記録再生装置。」で一致し、以下の点で相違している。
　
　〈相違点〉
　１．本願発明では、記録再生アンプが記録再生アンプ用基板に、ベース側とは反対側に設けられるのに対して、刊行物１の発明では、信号変換ヘッドからの読み出し信号または書き込み信号を増幅する増幅回路を構成するための電子部品（記録再生アンプ）が、二つに折りに折り曲げられたフレキシブル印刷回路（記録再生アンプ用基板）の一表面に搭載されているため、信号変換ヘッドからの読み出し信号または書き込み信号を増幅する増幅回路を構成するための電子部品（記録再生アンプ）は、基板（ベース）側または反対側のいずれの側にあるとすることができない点。
　２．記録再生アンプ用基板と制御回路基板を電気的に接続するピン・ヘッダの挿入される孔が、本願発明ではスルーホールであるのに対して、刊行物１の発明ではコネクタの孔である点。
　３．本願発明では、表面実装型コネクタが信号処理系が設けられた制御回路基板のベース側とは反対側に設けられているのに対して、刊行物１の発明では、コネクタ（表面実装型コネクタ）は電子回路カード（制御回路基板）の基板（ベース）側に設けられていて、信号処理系については、電子回路カード（制御回路基板）に設けられているかどうかの記載がない点。
　
［４］当審の判断
　以下に、相違点について判断する。
相違点１
　フレキシブブルプリント基板（記録再生アンプ用基板）のケース底面部（ベース）とは反対側に記録／再生増幅器（記録再生アンプ）を設けた磁気ディスク駆動装置は周知（特開平３−２１４４８６号公報の第４図参照）であり、刊行物１の発明においても、電子部品（記録再生アンプ等）をフレキシブル印刷回路（記録再生アンプ用基板）の基板（ベース）の反対側に設けることは、当業者が容易に推考できることである。
　
相違点２
　ピンをスルーホールに挿入にして半田等で固着する構成は、刊行物２，３に記載されているように周知であり、ディスク記憶装置（記録再生装置）を小型化または薄型化する一手段として、刊行物１の発明においても、ピン端子（ピン・ヘッダ）を直接にスルーホールに挿入して半田付け等で固定することは、当業者が容易に推考できることである。
　
相違点３
　磁気ディスクハウジング外の基板（制御回路基板）に信号処理系等を設けることは刊行物４にも、相違点１で例示した周知例の特開平３−２１４４８６号公報にも記載されているように周知である。そして、磁気ディスクハウジング外の基板に配置されたコネクタにおいて、コネクタがハウジングとは反対側の設けられる構成は知られている（ＷＯ９２／０１２８３；１９９２年１月２３日国際公開　図１０；ｃｏｎｄｕｃｔｉｖｅ　ｐｉｎｓ２３１に対向した位置にあるｐｒｉｎｔｅｄ　ｃｉｒｃｕｉｔ　ｂｏａｒｄ２２８（制御回路基板）のコネクタを参照。）から、刊行物１の発明において、電子回路カード（制御回路基板）に信号処理系を設け、コネクタ（表面実装型コネクタ）を基板（ベース）側と反対側に設けることは、当業者が容易に推考できることである。
　
　さらに、本願発明が奏する効果も引用例の発明及び周知例から十分に予測できる範囲のものである。
　
［５］むすび
　したがって、本願発明は、刊行物１〜４に記載された発明及び周知例に基づいて当業者が容易に発明をすることができたものであるので、特許法第２９条第２項の規定により特許を受けることができない。
　 よって、結論のとおり審決する。